(57)【要約】      （修正有）【課題】無線LANクライアント機器に接続設定情報を手動で設定することなく、接続設定情報を変更することが出来る方法を提供する。【解決手段】第１通信手段と、前記第１通信手段を識別する識別情報を少なくとも含む接続設定情報を記憶する記憶手段と、前記接続設定情報が変更されると、変更後の前記接続設定情報と、変更前の前記接続設定情報を所定の条件で変換した二次接続設定情報を、前記記憶手段に記憶し、前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する第１制御手段を備える、通信機器。【選択図】図１
2014165794.tif 000002
【特許請求の範囲】
【請求項１】
第１通信手段と、
前記第１通信手段を識別する識別情報を少なくとも含む接続設定情報を記憶する記憶手段と、
前記接続設定情報が変更されると、変更後の前記接続設定情報と、変更前の前記接続設定情報を所定の条件で変換した二次接続設定情報を、前記記憶手段に記憶し、
前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、
前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する第１制御手段を備える、
通信機器。
【請求項２】
請求項１に記載の通信機器であって、さらに、
前記接続設定情報を格納している識別子が印字されている識別子表示部を備えることを特徴とする、通信機器。
【請求項３】
請求項２に記載の通信機器であって、
前記記憶手段には、所定の文字列が記憶され、
前記識別子表示部の識別子には、前記所定の文字列が格納され、
前記第１制御手段は、前記所定の文字列を用いて前記所定の条件での変換を行うことを特徴とする、
通信機器。
【請求項４】
第２通信手段と、
前記第２通信手段の通信先を識別する識別情報を少なくとも含む接続設定情報を含む接続要求信号を前記第２通信手段を介して前記第２通信手段の通信先に送信し、
前記第２通信手段の通信先と通信を確立できない場合は、前記接続設定情報を所定の条件で変換した二次接続設定情報を生成し、
前記二次接続設定情報を含む前記接続要求信号を、前記第２通信手段を介して前記第２通信手段の通信先に送信し、
前記第２通信手段を介して前記接続設定情報を受信すると、受信した前記接続設定情報を含む前記接続要求信号を、前記第２通信手段を介して、前記第２通信手段の通信先に送信するように制御する第２制御手段を備える、
通信機器。
【請求項５】
請求項４に記載の通信機器であって、さらに、
前記第２通信手段の通信先が備える、前記接続設定情報を格納している識別子が印字されている識別子表示部を読み取って、識別子に格納された前記接続設定情報を取得する、識別子表示読取手段を備えることを特徴とする、
通信機器。
【請求項６】
請求項５に記載の通信機器であって、
前記識別子表示部の識別子には、所定の文字列が格納され、
前記識別子表示読取手段は、識別子に格納された前記所定の文字列を取得し、
前記第２制御手段は、前記所定の文字列を用いて前記所定の条件での変換を行うことを特徴とする、
通信機器。
【請求項７】
請求項１に記載の通信機器と、
請求項４に記載の通信機器を備え、
前記第１通信手段の通信先は、前記第２通信手段であり、
前記第２通信手段の通信先は、前記第１通信手段であることを特徴とする、
通信システム。
【請求項８】
請求項２に記載の通信機器と、
請求項５に記載の通信機器を備え、
前記第１通信手段の通信先は、前記第２通信手段であり、
前記第２通信手段の通信先は、前記第１通信手段であることを特徴とする、
通信システム。
【請求項９】
請求項３に記載の通信機器と、
請求項６に記載の通信機器を備え、
前記第１通信手段の通信先は、前記第２通信手段であり、
前記第２通信手段の通信先は、前記第１通信手段であることを特徴とする、
通信システム。
【請求項１０】
第１通信手段を識別する識別情報を少なくとも含む接続設定情報を記憶し、
前記接続設定情報が変更されると、変更後の前記接続設定情報と、前記識別子に格納された変更前の前記接続設定情報を所定の条件で変換した二次接続設定情報を、前記記憶手段に記憶し、
前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、
前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する、
通信機器の制御方法。
【発明の詳細な説明】
【技術分野】
【０００１】
この発明は、通信機器、通信システム及び通信機器の制御方法に関する。
【背景技術】
【０００２】
親機と子機を有する通信システムにおいて、子機が親機と通信を行う際に、子機が親機の識別子、暗号化キーを親機に通知し、親機において認証し、通信を開始することがある。例えば、無線LAN（Local Area Network）において、無線LANアクセスポイント機器と無線LANクライアント機器が通信を行う際にも、同様の処理が行われる。すなわち、無線LANクライアント機器は、無線LANアクセスポイント機器のESSID(Extended Service Set IDentifier)、暗号化方式、暗号化キーなどの接続設定情報を無線LANアクセスポイント機器に通知して認証を行い、通信を開始する。ここで、無線LANアクセスポイント機器を介して無線LANクライアント機器が通信を行うことを、インフラストラクチャーモードという。
【０００３】
したがって、無線LANクライアント機器から無線LANアクセスポイントに接続するためには、無線LANクライアントのESSIDや暗号化キー、暗号化方式などの接続設定情報を、あらかじめ何らかの方法で取得する必要がある。
【０００４】
特許文献１には、無線LANのアドホックモードでの接続設定情報を取得する方法が記載されている。図８は、特許文献１に記載の無線通信システムの構成を示すブロック図である。特許文献１に記載の無線通信システムは、アドホック接続設定情報配布装置９１０と、無線通信システムの端末装置９２１，９２２から構成されている。アドホック接続設定情報配布装置９１０は、制御部９１１と、無線利用状況サーチ部９１２と、アドホック接続設定情報生成部９１３と、アドホック接続設定情報配布部９１４を備える。また、アドホック接続設定情報配布装置９１０は、アドホック接続設定情報設定部９１５と、無線経由通知受信部９１６と、無線インタフェース部９１７と、赤外線通信部９１８を備える。ここで、アドホックモードとは、無線LANによる接続の一種であり、無線LANアクセスポイント機器を介さずに無線LANクライアント機器同士が直接無線にて接続することを指している。
【０００５】
アドホック接続設定情報配布装置９１１は赤外線通信部９１８を介して端末装置９２１，９２２に対してアドホック接続設定情報を常時配布している。したがって、ユーザがアドホック接続設定情報配布装置９１０からいつでもアドホック接続設定情報を取得することができる。端末装置９２１，９２２はアドホック接続設定情報配布装置９１０から取得したアドホック接続設定情報を自動設定することで、同じアドホックネットワークの設定を共有することができる。また、端末装置９２２からアドホック接続設定情報変更依頼を取得すると、配布するアドホック接続情報が変更されるため、ユーザを限ったアドホックネットワークを形成することが可能となる。
【０００６】
ここで、特許文献１には、赤外線通信部９１８に代わる情報配信媒体として、可視光、Bluetooth（登録商標）、非接触IC（Integrated Circuit）カード、QR(Quick Response)コード（登録商標）、RFID(Radio Frequency Identification)タグなどを用いることも可能であることが記載されている。
【先行技術文献】
【特許文献】
【０００７】
【特許文献１】特開２００６−３１０９９６
【発明の概要】
【発明が解決しようとする課題】
【０００８】
しかしながら、特許文献１に記載の発明には、以下の問題がある。情報配信媒体には、赤外線通信、可視光通信、Bluetooth（登録商標）等のように、配信内容を随時変更することが出来るものと、QRコードのように、一度印字が行われると、配信内容を随時変更することが出来ないものがある。例えば情報配信媒体としてQRコードを用いた場合、アドホック接続設定情報の変更があっても、QRコードに格納されたアドホック接続設定情報を変更することが出来ず、QRコードを読み取ることにより最新のアドホック接続設定情報を取得することができない。
【０００９】
これは、インフラストラクチャーモードにおける無線LANアクセスポイント機器の接続設定情報を、QRコードに格納して無線LANクライアント機器に配信する場合においても同じである。
【００１０】
情報配信媒体としてQRコードのような一度印字が行われると配信内容を随時変更することができない情報配信媒体を用いた場合、接続設定情報を変更してしまうと、QRコードを読み取ることにより最新の接続設定情報を取得することもできない。したがって、すべての無線LANクライアント機器に接続設定情報を手動で設定する必要があり、煩雑である。
【００１１】
この発明は、上記の課題を解決する、通信機器、通信システム及び通信機器の制御方法を提供することを目的とする。
【課題を解決するための手段】
【００１２】
この発明の通信機器は、第１通信手段と、前記第１通信手段を識別する識別情報を少なくとも含む接続設定情報を記憶する記憶手段と、前記接続設定情報が変更されると、変更後の前記接続設定情報と、変更前の前記接続設定情報を所定の条件で変換した二次接続設定情報を、前記記憶手段に記憶し、前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する第１制御手段を備えることを特徴とする。
【００１３】
また、この発明の通信機器の制御方法は、第１通信手段を識別する識別情報を少なくとも含む接続設定情報を記憶し、前記接続設定情報が変更されると、変更後の前記接続設定情報と、前記識別子に格納された変更前の前記接続設定情報を所定の条件で変換した二次接続設定情報を、前記記憶手段に記憶し、前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御することを特徴とする。
【発明の効果】
【００１４】
本発明によれば、上記の課題を解決する通信機器、通信システム及び通信機器の制御方法が提供される。
【図面の簡単な説明】
【００１５】
【図１】第１の実施形態に係る通信機器のブロック図である。
【図２】第１の実施形態に係る通信機器における、第１制御手段による二次接続設定情報の生成プロセスを示すフローチャートである。
【図３】第１の実施形態に係る通信機器における、第１制御手段による通信を確立する際の動作を示すフローチャートである。
【図４】第１の実施形態に係る通信機器を用いた通信システムの一例を示すブロック図である。
【図５】第１の実施形態に係る通信機器を用いた通信システムの一例における第２制御手段の動作を示すフローチャートである。
【図６】第２の実施形態に係る通信機器のブロック図である。
【図７】第２の実施形態に係る通信機器を用いた通信システムの一例を示すブロック図である。
【図８】特許文献１に記載の無線通信システムの構成を示すブロック図である。
【発明を実施するための形態】
【００１６】
［第１の実施形態］
以下に、図１乃至５を参照し、本発明の第１の実施形態に係る通信機器について、説明する。図１は本発明の第１の実施形態に係る通信機器１００のブロック図である。第１の実施形態に係る通信機器１００は、第１通信手段１１０と、情報を記憶する記憶手段１１２と、第１通信手段１１０及び記憶手段１１２を制御する第１制御手段１１１を備える。
【００１７】
第１通信手段１１０は、通信先と通信することができる通信手段であればいずれでも採用することができる。例えば、無線LANに準拠した通信を行うことが出来る無線通信手段を用いることができる。
【００１８】
情報を記憶する記憶手段１１２は、情報を記憶する種々の記憶手段を用いることができ、例えばフラッシュメモリーやハードディスクなどを用いることができる。記憶手段１１２には、第１通信手段１１０を識別する識別情報を少なくとも含む接続設定情報が記憶される。例えば、通信機器１００が無線LANに準拠した無線LANアクセスポイント機器である場合は、ESSIDが識別情報に相当する。接続設定情報としては、ESSIDの他にも、通信内容を暗号化する暗号化方式、例えば、WEP(Wired Equivalent Privacy)、WPA(Wi-Fi Protected Access)、WPA2(Wi-Fi Protected Access 2)などの別や、暗号化キーを含むことができる。
【００１９】
第１制御手段１１１は、種々のマイコンを用いることができ、以下の処理を行う。図２は、第１の実施形態に係る通信機器１００における、第１制御手段１１１による二次接続設定情報の生成プロセスを示すフローチャートである。まず、第１制御手段１１１は、接続設定情報が変更されたか判断する（S11）。接続設定情報は、ユーザーによって任意に変更されても良いし、自動的に変更されるものであっても良い。接続設定情報が変更されると（S11,YES)、所定の条件に基づいて、接続設定情報を変換した二次接続設定情報を生成する(S12)。所定の条件とは、例えば所定の文字列を付加するものでも良いし、所定の文字列を用いて変換するものでもよい。所定の文字列は、任意に設定することもできるし、乱数を用いても良い。第１制御手段１１１は、変更後の接続設定情報と、生成した二次接続設定情報とを、記憶手段１１２に記憶させる（S13）。
【００２０】
以後、通信機器１００は、接続設定情報と、生成した二次接続設定情報を通信機器１００の接続設定情報として用いる。例えば、通信機器１００が無線LANに準拠した無線LANアクセスポイント機器である場合は、変更後のESSID、暗号化方式、暗号化キーと、所定の条件に基づいて変換された変更前のESSID、暗号化方式、暗号化キーで動作するマルチESSIDの状態になる。なお、所定の条件に基づいて変換された変更前のESSIDは、第１通信手段１１０の通信先に送信を行わない、ステルスESSIDとすることができる。
【００２１】
次に、第１通信手段１１０と第１通信手段１１０の通信先が通信を確立する際の第１制御手段１１１の動作について説明する。図３は、第１の実施形態に係る通信機器１００における、第１制御手段１１１による通信を確立する際の動作を示すフローチャートである。
【００２２】
まず、第１通信手段１１０の通信先から、接続を要求する接続要求信号を受信したか確認する（S21）。接続要求信号の受信を確認できない場合は（S21,NO）、S21の確認を繰り返す。接続要求信号の受信を確認できた場合は（S21,YES）、接続要求信号に含まれる接続設定情報が、記憶手段１１２に記憶された接続設定情報と一致するかを確認する（S22）。例えば、接続設定情報に含まれる識別情報を少なくとも確認する。無線LANの場合、接続要求信号に含まれるESSIDと、記憶手段１１２に記憶されたESSIDが一致するかを確認する。また、暗号化方式、例えば、WEP、WPA、WPA2などの別や、暗号化キーの一致を確認しても良い。
【００２３】
接続設定情報が一致した場合は（S22,YES）、接続要求信号を送信した第１通信手段の通信先と通信を確立し（S23）、確立できなければ(S23,NO)通信の確立を再度試み、確立できれば(S23,YES)、制御を終了する。接続設定情報が一致しない場合は（S22,NO)、接続要求信号に含まれる接続設定情報が、記憶手段１１２に記憶された二次接続設定情報と一致するかを確認する（S24）。一致しない場合（S24,NO)は、接続要求信号を送信した第１通信手段１１０の通信先との通信を断念し、再び接続要求信号の受信を待つ（S21）。一致する場合は（S24,YES）、変更後の接続設定情報を送信し（S25）、再び接続要求信号の受信を待つ(S21)。変更後の接続設定情報は、暗号化して送信しても良い。第１通信手段１１０の通信先が、第１通信手段１１０がS25で送信した接続設定情報を含む接続要求信号を送信してきた場合は(S21,YES)、接続要求信号に含まれる接続設定情報が、記憶手段１１２に記憶された接続設定情報と一致する（S22,YES)。したがって、接続要求信号を送信した第１通信手段の通信先と通信の確立を試み（S23）、確立できなければ(S23,NO)通信の確立を再度試み、確立できれば(S23,YES)、制御を終了する。
【００２４】
以上のように、第１の実施形態に係る通信機器１００によれば、情報配信媒体としてQRコードのような一度印字が行われると配信内容を随時変更することができない情報配信媒体を用いた場合でも、最新の接続設定情報を取得することができる。すなわち、第１通信手段１１０と第１通信手段１１０の通信先で、接続設定情報を変換する所定の条件を共有していれば、たとえ接続設定情報が変更された場合でも、二次接続設定情報を用いて通信を行うことができる。この二次接続設定情報を用いた通信により、変更後の接続設定情報を第１通信手段１１０の通信先に伝えることができ、第１通信手段１１０の通信先において接続設定情報を手動で入力したりする煩雑な作業が必要無くなる。
【００２５】
また、接続設定情報を変換する所定の条件を知らない第１通信手段１１０の通信先は、二次接続設定情報を生成することができない。したがって、例えば不正アクセスを試みる第１通信手段１１０の通信先に対抗するため、接続設定情報を変更した場合でも、不正アクセスを試みる第１通信手段１１０の通信先は二次接続設定情報を取得することができない。第１の実施形態に係る通信機器１００によれば、不正でない第１通信手段１１０の通信先の接続設定情報変更という煩雑な作業を解消しつつ、不正な第１通信手段１１０の通信先の通信を遮断することができる。
【００２６】
次に、本発明の第１の実施形態に係る通信機器を用いた通信システムの一例について、説明する。図４は、第１の実施形態に係る通信機器を用いた通信システムの一例を示すブロック図である。通信機器１００、第１通信手段１１０、第１制御手段１１１、記憶手段１１２は、図１で示した構成と同じである。また、第１制御手段１１１の動作についても、図２及び３で示された動作と同じである。図４では、さらに、クライアント通信機器２００を含む。クライアント通信機器２００は、第１通信手段１１０と通信可能な第２通信手段２１０と、第２通信手段２１０を制御する第２制御手段２１１を備える。
【００２７】
第２通信手段２１０は、通信先と通信することができる通信手段であればいずれでも採用することができる。また、第１通信手段１１０と通信をすることができる。例えば、無線LANに準拠した通信を行うことが出来る無線通信手段を用いることができる。
【００２８】
また、第２制御手段２１１は、種々のマイコンを用いることができ、第１通信手段１１０と通信を確立するために、以下の処理を行う。図５は、第２制御手段２１１の動作を示すフローチャートである。まず、第２制御手段２１１は、接続設定情報を取得する(S31)。接続設定情報は、通信機器１００の記憶手段１１２に記憶されている接続設定情報と同じ接続設定情報をあらかじめ図示しない記憶手段に記憶させておいたものを用いても良いし、ユーザが任意で入力したものでも良い。
【００２９】
第２制御手段２１１は、取得した接続設定情報を含む接続要求信号を生成し、第２通信手段２１０を介して第１通信手段１１０に送信する（S32）。図３で示したように、第１通信手段１１０側の記憶手段１１２に記憶された接続設定情報と、第２通信手段２１０が送信した接続要求信号に含まれる接続設定情報が一致した場合は、通信が確立される（S33,YES）。
【００３０】
一方で、通信が確立できない場合は（S33,NO)、第２制御手段２１１は、二次接続設定情報を生成する(S34)。二次接続設定情報の生成は、通信機器１００と同じ所定の条件を用いて行う。所定の条件は、あらかじめ図示しない記憶手段に記憶させておいても良いし、ユーザーが入力しても良い。生成した二次接続設定情報を含む接続要求信号を第２通信手段２１０を介して第１通信手段１１０に送信する（S35）。図３で示したように、第１制御手段１１１は、記憶手段１１２に記憶された二次接続設定情報と第２通信手段２１０が送信した接続要求信号に含まれる二次接続設定情報の一致を確認する。一致が確認された場合は、第１通信手段１１０を介して、変更後の接続設定情報を第２通信手段２１０に送信する。
【００３１】
クライアント通信機器２００側では、変更後の接続設定情報を第２通信手段２１０を介して受信できたか確認を行う（S36）。受信が確認された場合は（S36,YES）、第１通信手段１１０との通信を一度切断し、第２通信手段２１０が受信した接続設定情報を含む接続要求信号を生成して第２通信手段２１０を介して送信する（S32）。図３で示したように、第１通信手段１１０側の記憶手段１１２に記憶された接続設定情報と、第２通信手段２１０が送信した接続要求信号に含まれる接続設定情報が一致した場合は、第１通信手段１１０との通信が確立され（S33,YES）、処理を終了する。なお、通信が確立できないとの判断は、例えば、通信が確立できない状態が所定時間継続した場合に行うことも出来る。
［第２の実施形態］
図６及び図７を用いて、第２の実施形態に係る通信機器について説明する。図６は本発明の第２の実施形態に係る通信機器１００のブロック図である。第２の実施形態に係る通信機器１００は、第１の実施形態と同様に、第１通信手段１１０、記憶手段１１２及び第１制御手段１１１を備える。また、第１制御手段１１１の動作についても、図２及び３で示された動作と同じである。第２の実施形態に係る通信機器１００は、さらに、識別子表示部１１３を備える。
【００３２】
識別子表示部１１３は、接続設定情報を格納している識別子が印字されている構成を有する。識別子としては、接続設定情報の内容をそのまま文字列で印字したものでもよいし、接続設定情報を表す一次元バーコードや、QRコードをはじめとした二次元バーコード、接続設定情報を格納したRFIDなどを用いることができる。例えば、工場出荷時に記憶手段１１２に記憶されるESSIDや暗号化方式、暗号化キー等の接続設定情報と同じ接続設定情報をQRコードに格納し、通信機器１００の筐体に印字したり、シールとして貼り付けておく構成とすることができる。
【００３３】
以上の構成を有することにより、第１通信手段１１０の通信先が識別子表示部１１３の識別子を読み取ることにより、接続識別情報１１３を取得することができる。第１通信手段１１０の通信先において、入力の手間を省くことができ、第１通信手段１１０の通信先の利用者の利便に資する。
【００３４】
なお、識別子には、所定の条件を表す情報を格納させておいても良い。例えば、所定の文字列を格納しておき、第１通信手段１１０の通信先がこれを読み取ることにより、所定の条件を通信機器１００と共有することができるようにしても良い。このような構成を有することにより、所定の条件を手動で入力する必要がなくなるだけでなく、通信機器１００の識別子を読み取ることが出来ない者による不正アクセスを防止することもできる。
【００３５】
次に、本発明の第２の実施形態に係る通信機器１００を用いた通信システムの一例について、説明する。図７は、第２の実施形態に係る通信機器１００を用いた通信システムの一例を示すブロック図である。通信機器１００の第１通信手段１１０、第１制御手段１１１、記憶手段１１２、識別子表示部１１３、クライアント通信機器２００の第２通信手段２１０、第２制御手段２１１は、図６と同様である。図７の第２の実施形態に係る通信機器１００を用いた通信システムの一例では、さらに、識別子表示部読取手段２１２を備える。識別子表示部読取手段２１２は、識別子表示部１１３を読み取ることができるバーコードリーダーや、撮像素子、RFIDリーダーを用いることができる。
【００３６】
例えば、クライアント通信機器２００に搭載されている撮像素子でQRコードを読み込み、読み取ったQRコードの復元を行う。復元した情報は第２制御手段２１１に送られ、復元された情報に含まれるESSID、暗号化方式及び暗号化キーなどからなる接続設定情報を抽出する。以上のようにして、第２制御手段は、接続設定情報を取得することができる。
【００３７】
上記の実施形態の一部又は全部は、以下の付記のようにも記載されうるが、以下には限られない。
【００３８】
［付記１］
第１通信手段と、
前記第１通信手段を識別する識別情報を少なくとも含む接続設定情報を記憶する記憶手段と、
前記接続設定情報が変更されると、変更後の前記接続設定情報と、変更前の前記接続設定情報を所定の条件で変換した二次接続設定情報を、前記記憶手段に記憶し、
前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、
前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する第１制御手段を備える、
通信機器。
【００３９】
［付記２］
付記１に記載の通信機器であって、さらに、
前記接続設定情報を格納している識別子が印字されている識別子表示部を備えることを特徴とする、通信機器。
【００４０】
［付記３］
付記２に記載の通信機器であって、
前記記憶手段には、所定の文字列が記憶され、
前記識別子表示部の識別子には、前記所定の文字列が格納され、
前記第１制御手段は、前記所定の文字列を用いて前記所定の条件での変換を行うことを特徴とする、
通信機器。
【００４１】
［付記４］
付記１乃至３のいずれか１項に記載の通信機器であって、
前記第１通信手段は、
前記二次接続設定情報に含まれる前記識別情報を、前記第１通信手段の通信先に秘匿することを特徴とする、
通信機器。
【００４２】
［付記５］
付記１乃至４のいずれか１項に記載の通信機器であって、
前記第１制御手段は、
前記変更後の前記接続設定情報を暗号化し、前記第１通信手段の通信先に送信するように前記第１通信手段を制御することを特徴とする、
通信機器。
【００４３】
［付記６］
付記１乃至５のいずれか１項に記載の通信機器であって、
前記接続設定情報は、さらに、通信内容を暗号化する暗号化方式及び暗号化キーを含むことを特徴とする、通信機器。
【００４４】
［付記７］
付記２乃至５のいずれか１項に記載の通信機器であって、
前記識別子は、二次元バーコードであることを特徴とする、通信機器。
【００４５】
［付記８］
第２通信手段と、
前記第２通信手段の通信先を識別する識別情報を少なくとも含む接続設定情報を含む接続要求信号を前記第２通信手段を介して前記第２通信手段の通信先に送信し、
前記第２通信手段の通信先と通信を確立できない場合は、前記接続設定情報を所定の条件で変換した二次接続設定情報を生成し、
前記二次接続設定情報を含む前記接続要求信号を、前記第２通信手段を介して前記第２通信手段の通信先に送信し、
前記第２通信手段を介して前記接続設定情報を受信すると、受信した前記接続設定情報を含む前記接続要求信号を、前記第２通信手段を介して、前記第２通信手段の通信先に送信するように制御する第２制御手段を備える、
通信機器。
【００４６】
［付記９］
付記８に記載の通信機器であって、さらに、
前記第２通信手段の通信先が備える、前記接続設定情報を格納している識別子が印字されている識別子表示部を読み取って、識別子に格納された前記接続設定情報を取得する、識別子表示読取手段を備えることを特徴とする、
通信機器。
【００４７】
［付記１０］
付記９に記載の通信機器であって、
前記識別子表示部の識別子には、所定の文字列が格納され、
前記識別子表示読取手段は、識別子に格納された前記所定の文字列を取得し、
前記第２制御手段は、前記所定の文字列を用いて前記所定の条件での変換を行うことを特徴とする、
通信機器。
【００４８】
［付記１１］
付記１乃至７のいずれか１項に記載の通信機器と、
付記８に記載の通信機器を備え、
前記第１通信手段の通信先は、前記第２通信手段であり、
前記第２通信手段の通信先は、前記第１通信手段であることを特徴とする、
通信システム。
【００４９】
［付記１２］
付記２乃至７のいずれかに記載の通信機器と、
付記９に記載の通信機器を備え、
前記第１通信手段の通信先は、前記第２通信手段であり、
前記第２通信手段の通信先は、前記第１通信手段であることを特徴とする、
通信システム。
【００５０】
［付記１３］
付記３乃至７のいずれか１項に記載の通信機器と、
付記１０に記載の通信機器を備え、
前記第１通信手段の通信先は、前記第２通信手段であり、
前記第２通信手段の通信先は、前記第１通信手段であることを特徴とする、
通信システム。
【００５１】
［付記１４］
第１通信手段を識別する識別情報を少なくとも含む接続設定情報を記憶し、
前記接続設定情報が変更されると、変更後の前記接続設定情報と、前記識別子に格納された変更前の前記接続設定情報を所定の条件で変換した二次接続設定情報を、前記記憶手段に記憶し、
前記第１通信手段の通信先から接続を求める接続要求信号に含まれる前記接続設定情報が、前記記憶手段に記憶される前記接続設定情報と一致する場合は、前記第１通信手段の通信先と通信を確立するように前記第１通信手段を制御し、
前記接続要求信号に含まれる前記接続設定情報が、前記接続設定情報と一致せず、前記二次接続設定情報と一致する場合は、前記記憶手段に記憶された変更後の前記接続設定情報を前記記憶手段から読み出し、前記第１通信手段の通信先に送信するように前記第１通信手段を制御する、
通信機器の制御方法。
【符号の説明】
【００５２】
１００    通信機器
１１０    第１通信手段
１１１    第１制御手段
１１２    記憶手段
２００    クライアント通信機器
９１０    アドホック接続設定情報配布装置
９２１    端末装置
９２２    端末装置
９１１    制御部
９１２    無線利用状況サーチ部
９１３    アドホック接続設定情報生成部
９１４    アドホック接続設定情報配布部
９１５    アドホック接続設定情報設定部
９１６    無線経由通知受信部
９１７    無線インタフェース部
９１８    赤外線通信部
【図１】
2014165794.tif 000003
【図２】
2014165794.tif 000004
【図３】
2014165794.tif 000005
【図４】
2014165794.tif 000006
【図５】
2014165794.tif 000007
【図６】
2014165794.tif 000008
【図７】
2014165794.tif 000009
【図８】
2014165794.tif 000010